(57)【要約】【課題】簡単な構成で確実に無線電話機を保持することができ生産性に優れ、無線電話機の充電用接点と充電器の充電接点との接触不良を防止でき信頼性、充電の効率性に優れると共に、充電用接点でのショートが発生し難く、挿抜が容易で充電用接点の汚損を防止でき操作性、メンテナンス性に優れた無線電話装置を提供することを目的とする。【解決手段】電源用の電力を蓄積する二次電池３を有した無線電話機２と、無線電話機２が着脱自在に装着される上方に開口した嵌着凹部１１を有し無線電話機２の二次電池３を充電するための電力を供給する充電器１０とを備えた無線電話装置１であって、無線電話機２が、両側の下端隅部２ｄにそれぞれ配設された充電用接点４を備えている。【選択図】図１
2006050733.tif 000002
【特許請求の範囲】
【請求項１】
電源用の電力を蓄積する二次電池を有した無線電話機と、前記無線電話機が着脱自在に装着される上方に開口した嵌着凹部を有し前記無線電話機の前記二次電池を充電するための電力を供給する充電器と、を備えた無線電話装置であって、前記無線電話機が、両側の下端隅部にそれぞれ配設された充電用接点を備えたことを特徴とする無線電話装置。
【請求項２】
前記充電器が、前記嵌着凹部の内部両側にそれぞれ配設され前記無線電話機の前記充電用接点に斜め下方から当接する充電端子を備えたことを特徴とする請求項１に記載の無線電話装置。
【請求項３】
前記充電器の前記充電端子が板ばねで形成され、基板に固定された水平固定部と、前記水平固定部の端部から上方に向かって延設された立上り部と、前記立上り部の上端から斜め下方内側に折曲された折り曲げ部と、前記折り曲げ部の下端から斜め上方内側に折曲され端面で前記充電用接点に接触する当接部と、を備えたことを特徴とする請求項２に記載の無線電話装置。
【請求項４】
前記充電器が、前記嵌合凹部の少なくとも前記充電用接点の下部位置に前記充電用接点との接触を避ける凹状の段差部を備えたことを特徴とする請求項１乃至３の内いずれか１項に記載の無線電話装置。
【請求項５】
前記充電器が、前記嵌合凹部の最深部に貫設された水抜き孔を備えたことを特徴とする請求項１乃至４の内いずれか１項に記載の無線電話装置。
【請求項６】
前記充電器が、前記嵌合凹部に形設された位置決めリブ又は位置決め凹部を備え、前記無線電話機が、底面に形設され前記位置決めリブが挿通される位置決め凹部又は前記位置決め凹部に挿通される位置決めリブを備えたことを特徴とする請求項１乃至５の内いずれか１項に記載の無線電話装置。
【請求項７】
前記無線電話機の前記充電用接点が、前記無線電話機の前記下端隅部に沿って略円弧状若しくは直線形状に配設された線材であることを特徴とする請求項１乃至６の内いずれか１項に記載の無線電話装置。
【請求項８】
前記充電用接点が、前記充電用接点の一端部に延設され前記無線電話機内部のボスに外挿されたコイル部と、前記コイル部の他端側で基板に電気的に接続された電気接続部と、を備えたことを特徴とする請求項７に記載の無線電話装置。
【発明の詳細な説明】
【技術分野】
【０００１】
本発明は、電話機の子機や携帯電話等の無線電話機とそれに充電を行う充電器とを備えた無線電話装置に関するものである。
【背景技術】
【０００２】
従来の電話機の子機や携帯電話等の無線電話機に充電を行う場合、無線電話機の底面に充電用接点を設け、充電器の充電端子を充電用接点の下方から当接させ充電を行っていた。
【０００３】
充電用接点が底面にある場合、無線電話機の自重により充電用接点を充電器の充電端子に押圧するため、無線電話機が軽量になると充電用接点を充電端子に押圧する力が弱くなり、接触不良が発生し易いという問題点があった。
【０００４】
この問題点を解決するために、（特許文献１）には「対向する側部上に第１及び第２の凹部、第１及び第２の凹部内にそれぞれ配置された第１及び第２の導電性接点を含む携帯用電話ユニットと、携帯用電話ユニットが陥没部内に挿入された時、それぞれ第１及び第２の導電性接点と電気的に接触する第１及び第２の導電性突出部を含む本体電話ユニット、を具備するコードレス電話システムのための充電装置」が開示されている。
【０００５】
（特許文献２）には「電源駆動装置の筐体の背面に配列された電源端子板列に、電源供給装置の電源供給端子列の各端子先端がバネ部材の付勢によってそれぞれ圧接される電源供給端子板圧接構造」が開示されている。
【０００６】
（特許文献３）には「接点が充電器の嵌着凹部に挿入されるケースの底部に配設されると共に、ケースの背面に対して傾斜して設けられ、電気機器を充電器の嵌着凹部に装着する状態で、傾斜する接点に嵌着凹部の充電端子が押圧されるようにしてなる電気機器」が開示されている。
【特許文献１】特表平５−５０６７４７号公報（特許第２７７７８４２号）
【特許文献２】特開平７−１９４０１６号公報
【特許文献３】特開２００２−５１４７３号公報
【発明の開示】
【発明が解決しようとする課題】
【０００７】
しかしながら上記従来の技術では、以下のような課題を有していた。
【０００８】
（１）（特許文献１）のように携帯用電話ユニットの両側面の凹部内にそれぞれ導電性接点を設けた場合、導電性突出部をバネ部により付勢し、導電性接点に当接させるため、導電性突出部が携帯用電話ユニットの凹部に引っ掛かり易く、挿抜性に欠けると共に、凹部にゴミ等が溜まり接触不良が発生し易いという課題を有していた。
【０００９】
（２）（特許文献２）のように電源駆動装置（電池収容体）の背面に電源端子板列を設けた場合、後方或いは斜め後方から電源供給装置（充電台）の電源供給端子列（充電端子列）の各端子を当接させるので、水平方向に作用する接点荷重が強過ぎると、電源駆動装置がスムーズに抜け難く、引抜き時に電源端子板列が破損し易くなって信頼性に欠けると共に、電源供給装置が電源駆動装置と一緒に持ち上がるのを防止するために、電源供給装置を手で押えたり、電源供給装置に錘を取付けたりする必要があり、操作性、生産性に欠けるという課題を有していた。電源端子板が同一面内に配列されているので、接点荷重が
同一方向からの荷重となるため、電源供給端子の変形等による各々の電源供給端子の荷重バラツキにより、圧接力に差が生じ易く、接触不良となる可能性があった。また、背面には電池が装着されるため、電源端子板列を設けるスペースが限られ、設計自在性に欠けるという課題を有していた。
【００１０】
（３）（特許文献３）のように接点が電気機器のケースの背面に対して傾斜して底部に配設されている場合、電気機器が充電器に対して斜めに挿入されるため、ゴミや水分が溜まり易い充電器の最深部に充電端子が位置するので、ショートが発生し易く信頼性に欠けるという課題を有していた。また、一つの面のみで接点と充電端子が接触しているので、接点荷重が同一方向からの荷重となり、確実に接触させるためには各部品の平面度が要求されると共に、充電端子の変形等による各々の充電端子の荷重バラツキにより、圧接力に差が生じ易く、接触不良となる可能性があり、さらに、外力などにより電気機器が倒れ易く、接触不良が発生し易いという課題を有していた。
【００１１】
（４）また、充電用接点が無線電話機の底面や背面等の一つの面に並設している場合、ショートが発生し易いという課題を有していた。
【００１２】
本発明は上記従来の課題を解決するもので、簡単な構成で確実に無線電話機を保持することができ生産性に優れ、無線電話機の充電用接点と充電器の充電接点との接触不良を防止でき信頼性、充電の効率性に優れると共に、充電用接点でのショートが発生し難く、挿抜が容易で充電用接点の汚損を防止でき操作性、メンテナンス性に優れた無線電話装置を提供することを目的とする。
【課題を解決するための手段】
【００１３】
上記課題を解決するために本発明の無線電話装置は、電源用の電力を蓄積する二次電池を有した無線電話機と、無線電話機が着脱自在に装着される上方に開口した嵌着凹部を有し無線電話機の二次電池を充電するための電力を供給する充電器と、を備えた無線電話装置であって、無線電話機が、両側の下端隅部にそれぞれ配設された充電用接点を備えた構成を有している。
【００１４】
これにより、無線電話機の両側の下端隅部に配設された充電用接点に、充電器の充電端子を当接させるだけで、無線電話機を確実に保持することができ生産性に優れ、無線電話機の充電用接点と充電器の充電接点との接触不良を防止でき信頼性、充電の効率性に優れると共に、充電用接点が無線電話機の両側に離れているので、充電用接点でのショートが発生し難く、挿抜が容易で充電用接点の汚損を防止でき操作性、メンテナンス性に優れた無線電話装置を提供することができる。
【発明の効果】
【００１５】
以上説明したように本発明の無線電話装置によれば、以下のような有利な効果が得られる。
【００１６】
請求項１に記載の発明によれば、
（１）無線電話機の両側の下端隅部にそれぞれ充電用接点が配設されているので、充電器の充電端子により無線電話機を両側から支持することができ、確実に充電用接点と充電端子を接触させることができ信頼性、充電の効率性に優れた無線電話装置を提供することができる。
【００１７】
（２）充電用接点が無線電話機の両側の下端隅部に形成されているので、充電用接点が目立たず美観を損ねることがなく、またショートが発生し難い信頼性、使用性に優れた無線電話装置を提供することができる。
【００１８】
請求項２に記載の発明によれば、請求項１の効果に加え、
（１）無線電話機が装着される充電器の嵌着凹部の内部両側にそれぞれ無線電話機の充電用接点に斜め下方から当接する充電端子が配設されているので、無線電話機の左右両側から充電用接点を圧接するように案内することができ、無線電話機の固定位置が自動的に定まり、荷重バランスが取れるので、無線電話機を嵌着凹部の内部で確実に保持することができ、挿抜が容易で保持安定性に優れた無線電話装置を提供することができる。
【００１９】
請求項３に記載の発明によれば、請求項２の効果に加え、
（１）充電端子が板ばねなので、充電用接点に斜め下方から当接させることで、接点荷重の水平方向成分で無線電話機を保持すると共に、垂直方向成分で無線電話機を持ち上げる作用があり、充電器から容易に引抜くことができる操作性に優れた無線電話装置を提供することができる。
【００２０】
（２）板ばねで形成された充電端子が、立上り部の上端から斜め下方内側に折曲された折り曲げ部を有することにより、左右方向に変形できると共に、折り曲げ部の下端から斜め上方内側に折曲された当接部を有することにより、上下方向にも変形できるので、無線電話機の挿抜時に充電端子が引っ掛かることがなく、無線電話機を容易に挿抜でき、充電用接点や充電端子の破損が発生し難い操作性、信頼性に優れた無線電話装置を提供することができる。
【００２１】
（３）充電端子である板ばねの力のみで無線電話機を保持するので、無線電話機の重量によらず確実かつ容易に保持及び挿抜を行うことができる信頼性に優れた無線電話装置を提供することができる。
【００２２】
請求項４に記載の発明によれば、請求項１乃至３の内いずれか１項の効果に加え、
（１）無線電話機が装着される充電器の嵌合凹部の少なくとも充電用接点の下部位置に充電用接点との接触を避ける凹状の段差部を有するので、充電器の嵌合凹部に溜まったゴミや水等が無線電話機の充電用接点に接触し難く、充電用接点の汚れ、ショートの発生を低減することができるメンテナンス性、信頼性に優れた無線電話装置を提供することができる。
【００２３】
請求項５に記載の発明によれば、請求項１乃至４の内いずれか１項の効果に加え、
（１）充電器の嵌合凹部の最深部に水抜き孔を有することにより、充電器の嵌合凹部に溜まった水等を外部に排出することができ、より確実にショートの発生を防ぐことができる信頼性に優れた無線電話装置を提供することができる。
【００２４】
請求項６に記載の発明によれば、請求項１乃至５の内いずれか１項の効果に加え、
（１）充電器の嵌合凹部に形設された位置決めリブ又は位置決め凹部と、無線電話機の底面に形設され位置決めリブが挿通される位置決め凹部又は位置決め凹部に挿通される位置決めリブを有するので、補助的に無線電話機を嵌合凹部に案内することができ、左右の充電端子によりほぼ均等に充電用接点を押圧できる保持安定性、充電効率に優れた無線電話装置を提供することができる。
【００２５】
請求項７に記載の発明によれば、請求項１乃至６の内いずれか１項の効果に加え、
（１）線材を無線電話機の下端隅部に沿って円弧状若しくは直線形状に配設することにより充電用接点が形成されているので、無線電話機を充電器の嵌合凹部に挿入するだけで、充電端子が無線電話機の下端隅部の外形に沿って移動し、確実に充電用接点と接触すると共に、充電用接点の表面に付着したゴミや油分などを自動的に取除くことができるメンテナンス性、機能性に優れた無線電話装置を提供することができる。
【００２６】
（２）充電用接点が線材によって円弧状に形成された場合、充電用接点に沿って移動する充電端子の動作が滑らかで挿抜性に優れ、直線形状に形成された場合、加工が容易で生産性に優れた無線電話装置を提供することができる。
【００２７】
請求項８に記載の発明によれば、請求項７の効果に加え、
（１）充電用接点の一端部に延設されたコイル部が無線電話機内部のボスに外挿され、コイル部の他端側に基板に電気的に接続された電気接続部を有するので、充電用接点を無線電話機内部のボスにより容易に位置決めすることができ、組立てが容易で生産性に優れ、充電用接点と充電端子との接触時や無線電話機の挿抜時に電気接続部分に負荷がかからず破損が発生し難い信頼性に優れた無線電話装置を提供することができる。
【発明を実施するための最良の形態】
【００２８】
本発明は、簡単な構成で確実に無線電話機を保持することができ生産性に優れ、無線電話機の充電用接点と充電器の充電接点との接触不良を防止でき信頼性、充電の効率性に優れると共に、充電用接点でのショートが発生し難く、挿抜が容易で充電用接点の汚損を防止でき操作性、メンテナンス性に優れた無線電話装置を提供するという目的を、無線電話機の両側の下端隅部にそれぞれ充電用接点を配設することにより実現した。
【００２９】
上記課題を解決するためになされた第１の発明は、電源用の電力を蓄積する二次電池を有した無線電話機と、無線電話機が着脱自在に装着される上方に開口した嵌着凹部を有し無線電話機の二次電池を充電するための電力を供給する充電器と、を備えた無線電話装置であって、無線電話機が、両側の下端隅部にそれぞれ配設された充電用接点を備えた構成を有している。
【００３０】
この構成により、以下の作用を有する。
【００３１】
（１）無線電話機の両側の下端隅部にそれぞれ充電用接点が配設されているので、充電器の充電端子により無線電話機を両側から支持することができ、確実に充電用接点と充電端子を接触させることができる。
【００３２】
（２）充電用接点が無線電話機の両側の下端隅部に形成されているので、充電用接点が目立たず美観を損ねることがなく、またショートが発生し難い。
【００３３】
ここで、充電器の充電端子は、無線電話機の両側の充電用接点にそれぞれ両側から接触するように嵌着凹部に配設される。また、充電端子は板ばねやコイルばね等の弾性体により無線電話機を水平方向及び垂直方向に付勢することが好ましい。これにより、無線電話機を確実に保持すると共に、容易に挿抜できる。また、充電用接点が配設される無線電話機の下端隅部には充電用接点よりも長く、幅広の溝部を形成し、充電用接点が無線電話機の底面及び側面よりも突出しないようにすることが好ましい。これにより、充電用接点を保護できると共に、無線電話機を正面から見た際に、充電用接点が目立たず美観に優れる。充電端子の幅を溝部より狭く形成することにより、充電端子を溝部の内側に配設された充電用接点に確実に接触させることができ、信頼性に優れる。
【００３４】
上記課題を解決するためになされた第２の発明は、第１の発明に記載の無線電話装置であって、充電器が、嵌着凹部の内部両側にそれぞれ配設され無線電話機の充電用接点に斜め下方から当接する充電端子を備えた構成を有している。
【００３５】
（１）無線電話機が装着される充電器の嵌着凹部の内部両側にそれぞれ無線電話機の充電用接点に斜め下方から当接する充電端子が配設されているので、無線電話機の左右両側
から充電用接点を圧接するように案内することができ、無線電話機の固定位置が自動的に定まり、荷重バランスが取れるので、無線電話機を嵌着凹部の内部で確実に保持することができる。
【００３６】
ここで、充電器の充電端子の幅は無線電話機の充電用接点の幅より広く形成することが好ましい。これにより、無線電話機を嵌着凹部に装着する際に、無線電話機が前後に位置ずれしても確実に充電端子と充電用接点を接触させることができ、信頼性に優れる。充電端子を板ばねやコイルばね等の弾性体で伸縮自在に支持してもよいし、充電端子自身を伸縮性や可撓性を有する板ばね等で形成してもよい。
【００３７】
上記課題を解決するためになされた第３の発明は、第２の発明に記載の無線電話装置であって、充電器の充電端子が板ばねで形成され、基板に固定された水平固定部と、水平固定部の端部から上方に向かって延設された立上り部と、立上り部の上端から斜め下方内側に折曲された折り曲げ部と、折り曲げ部の下端から斜め上方内側に折曲され端面で充電用接点に接触する当接部と、を備えた構成を有している。
【００３８】
この構成により、第１の発明の作用に加え、以下のような作用を有する。
【００３９】
（１）充電端子を板ばねで形成したことにより、充電用接点に斜め下方から当接させることで、接点荷重の水平方向成分で無線電話機を保持すると共に、垂直方向成分が無線電話機を持ち上げる方向に作用するので、無線電話機を充電器から容易に引抜くことができる。
【００４０】
（２）板ばねで形成された充電端子が、立上り部の上端から斜め下方内側に折曲された折り曲げ部を有することにより、左右方向に変形できると共に、折り曲げ部の下端から斜め上方内側に折曲された当接部を有することにより、上下方向にも変形できるので、無線電話機の挿抜時に充電端子が引っ掛かることがなく、無線電話機を容易に挿抜でき、充電用接点や充電端子の破損の発生を低減することができる。
【００４１】
（３）充電端子である板ばねの力のみで無線電話機を保持するので、無線電話機の重量によらず確実かつ容易に保持及び挿抜を行うことができる。
【００４２】
ここで、充電端子の立上り部は、水平固定部から任意の角度で上方に向かって直線的に延設してもよいし、円弧等のように曲線状に延設してもよい。充電用接点に接触する当接部の端面は略円弧状等に面取りすることが好ましい。これにより、当接部の端面が充電用接点に接触した際に、充電用接点の表面が削れたり、使用者が手で触れた際に怪我をしたりするのを防止でき信頼性、安全性に優れる。充電端子の当接部の端部をさらに折り返し、充電用接点との接触部を略Ｕ字状に形成した場合、充電用接点と接触させ易く、当接部の強度を向上でき、当接部の端面が削れることによる錆の発生を防止できると共に、充電用接点や無線電話機が当接部の端面に接触することにより傷つくことや使用者が怪我をすることを防止できる。また、充電端子の当接部の端部に形成した折り返し部を立上り部の近傍まで伸ばした場合、充電端子の折り曲げ部が外方に変形した際に折り返し部の端部が立上り部に当接し、必要以上の変形を防止できるので、充電端子の塑性変形が発生せず、信頼性に優れる。
【００４３】
上記課題を解決するためになされた第４の発明は、第１乃至第３の発明の内いずれか１項に記載の無線電話装置であって、充電器が、嵌合凹部の少なくとも充電用接点の下部位置に充電用接点との接触を避ける凹状の段差部を備えた構成を有している。
【００４４】
この構成により、第１乃至第３の発明の内いずれか１項の作用に加え、以下のような作
用を有する。
【００４５】
（１）無線電話機が装着される充電器の嵌合凹部の少なくとも充電用接点の下部位置に充電用接点との接触を避ける凹状の段差部を有するので、充電器の嵌合凹部に溜まったゴミや水等が無線電話機の充電用接点に接触し難く、充電用接点の汚れ、ショートの発生を低減することができる。
【００４６】
ここで、凹状の段差部は嵌合凹部の両側にそれぞれ独立して形成してもよいし、嵌合凹部の内周に沿うように一続きの略楕円形状等に形成してもよい。段差部が一続きに形成された場合、段差部の容積を増やすことができ、より多くのゴミや水等を溜めることができると共に、溜まったゴミや水等を一箇所に集めることができ、容易に排出することができる。
【００４７】
上記課題を解決するためになされた第５の発明は、第１乃至第４の発明の内いずれか１項に記載の無線電話装置であって、充電器が、嵌合凹部の最深部に貫設された水抜き孔を備えた構成を有している。
【００４８】
この構成により、第１乃至第４の発明の内いずれか１項の作用に加え、以下のような作用を有する。
【００４９】
（１）充電器の嵌合凹部の最深部に水抜き孔を有することにより、充電器の嵌合凹部に溜まった水等を外部に排出することができ、より確実にショートの発生を防ぐことができる。
【００５０】
ここで、水抜き孔は充電器の底面等で外部に開口するように形成される。また、嵌合凹部の底部は水抜き孔の位置が最も低くなるように傾斜したテーパ状に形成することが好ましい。これにより、確実に嵌合凹部に溜まった水等を外部に排出することができる。嵌合凹部に前述の段差部が形成されている場合は、水抜き孔は段差部に形成される。複数の段差部が独立して形成されている際には、各段差部の底部に水抜き孔を穿設し、段差部が一続きに形成されている際には、段差部の最深部に少なくとも１つの水抜き孔を穿設する。これにより、確実に段差部に溜まった水等を外部に排出することができる。
【００５１】
上記課題を解決するためになされた第６の発明は、第１乃至第５の発明の内いずれか１項に記載の無線電話装置であって、充電器が、前記嵌合凹部に形設された位置決めリブ又は位置決め凹部を備え、無線電話機が、底面に形設され位置決めリブが挿通される位置決め凹部又は位置決め凹部に挿通される位置決めリブを備えた構成を有している。
【００５２】
この構成により、第１乃至第５の発明の内いずれか１項の作用に加え、以下のような作用を有する。
【００５３】
（１）充電器の嵌合凹部に形設された位置決めリブ又は位置決め凹部と、無線電話機の底面に形設され位置決めリブが挿通される位置決め凹部又は位置決め凹部に挿通される位置決めリブを有するので、補助的に無線電話機を嵌合凹部に案内することができる。
【００５４】
ここで、位置決め凹部の開口面積及び深さは、それぞれ位置決めリブの水平断面積及び高さよりも大き目に形成される。これにより、位置決め凹部と位置決めリブとの寸法誤差や無線電話機を充電器の嵌合凹部に装着する際の前後及び／又は左右の位置ずれを吸収することができる。位置決め凹部と位置決めリブにガタがあっても、充電器の充電端子が左右両側から無線電話機を案内するように圧接するので、固定位置が定まり、容易かつ確実に無線電話機を充電器に装着することができる。
【００５５】
上記課題を解決するためになされた第７の発明は、第１乃至第６の発明の内いずれか１項に記載の無線電話装置であって、無線電話機の充電用接点が、無線電話機の下端隅部に沿って略円弧状若しくは直線形状に配設された線材である構成を有している。
【００５６】
この構成により、第１乃至第６の発明の内いずれか１項の作用に加え、以下のような作用を有する。
【００５７】
（１）線材を無線電話機の下端隅部に沿って円弧状若しくは直線形状に配設することにより充電用接点が形成されているので、無線電話機を充電器の嵌合凹部に挿入するだけで、充電端子が無線電話機の下端隅部の外形に沿って移動し、確実に充電用接点と接触すると共に、充電用接点の表面に付着したゴミや油分などを自動的に取除くことができる。
【００５８】
（２）充電用接点を線材によって円弧状に形成した場合、充電用接点に沿って移動する充電端子の動作を滑らかにすることができ、無線電話機の挿抜性を向上させることができる。
【００５９】
（３）充電用接点を線材によって直線形状に形成した場合、加工を容易に行うことができ、生産性、低コスト性を向上させることができる。
【００６０】
ここで、充電用接点の端部は無線電話機の内側に折り曲げるようにして無線電話機の内部で固定することが好ましい。これにより、無線電話機の使用時や充電器への挿抜時に充電用接点の端部が引っ掛かって変形したり、破損したりするのを防止でき、信頼性、安全性を向上させることができる。尚、線材の他端側は無線電話機の内部で基板に半田付け等により電気的に接続されている。
【００６１】
上記課題を解決するためになされた第８の発明は、第７の発明に記載の無線電話装置であって、充電用接点が、充電用接点の一端部に延設され無線電話機内部のボスに外挿されたコイル部と、コイル部の他端側で基板に電気的に接続された電気接続部と、を備えた構成を有している。
【００６２】
この構成により、第７の発明の作用に加え、以下のような作用を有する。
【００６３】
（１）充電用接点の一端部に延設されたコイル部が無線電話機内部のボスに外挿され、コイル部の他端側に基板に電気的に接続された電気接続部を有するので、充電用接点を無線電話機内部のボスにより容易に位置決めすることができると共に、充電用接点と充電端子との接触時や無線電話機の挿抜時に電気接続部に負荷がかからず、破損の発生を防止することができる。
【００６４】
ここで、コイル部を無線電話機内部で固定するボスは、基板を固定するボスと兼用することが好ましい。これにより、部品点数を低減できると共に、予め電気接続部を基板に電気接続することによって基板をボスに固定すると同時に充電用接点をコイル部で固定でき、生産性、組立て作業性を向上させることができる。
【００６５】
（実施の形態１）
以下、本発明の実施の形態について、各図に基づいて説明する。図１は本発明の実施の形態１における無線電話装置を示す全体斜視図であり、図２は無線電話機の充電用接点を示す要部拡大斜視図である。
【００６６】
図１中、１は本発明の実施の形態１における電話機の子機や携帯電話等の無線電話装置
、２は無線電話装置１の無線電話機、３は無線電話機２の背面２ｃに装着され電源用の電力を蓄積する二次電池、４は導電性の線材で形成され無線電話機２の底面２ａから側面２ｂにかけて無線電話機２の両側の下端隅部２ｄに沿って形成された溝部２ｅにそれぞれ略円弧状に配設された充電用接点、５は無線電話機２の底面２ａの略中央に形成された位置決め凹部（図２参照）、１０は無線電話機２の二次電池３を充電するための電力を供給する無線電話装置１の充電器、１１は上方に開口して形成され無線電話機２が着脱自在に装着される充電器１０の嵌着凹部、１１ａは嵌着凹部１１に装着された無線電話機２の底面２ａに当接する凹部底面、１１ｂは嵌着凹部１１の内周に沿って充電用接点４の下部位置に充電用接点４との接触を避けるように凹状に形成された段差部、１２は凹部底面１１ａに突設され位置決め凹部５に挿通される位置決めリブ、１３は嵌着凹部１１の最深部である段差部１１ｂに貫設され充電器１０の外部に連通した水抜き孔、１４は板ばねで形成され嵌着凹部１１の内部両側にそれぞれ配設され無線電話機２の充電用接点４に斜め下方から当接する充電端子である。
【００６７】
位置決め凹部５の開口面積及び深さは、それぞれ位置決めリブ１２の水平断面積及び高さよりも大き目に形成した。これにより、位置決め凹部５と位置決めリブ１２との寸法誤差や無線電話機２を充電器１０の嵌着凹部１１に装着する際の前後及び／又は左右の位置ずれを吸収している。水抜き孔１３は充電器１０の底面で外部に開口するように形成した。また、段差部１１ｂの底部は水抜き孔１３の位置が最も低くなるように傾斜したテーパ状に形成した場合、確実に段差部１１ｂに溜まった水等を外部に排出できる。
【００６８】
尚、本実施の形態では、充電用接点４を無線電話機２の両側の下端隅部２ｄに沿って略円弧状に配設したが、直線形状に配設してもよい。充電用接点４を直線形状に形成した場合、加工が容易で生産性に優れる。また、位置決め凹部５を充電器１０の嵌着凹部１１に形設し、位置決めリブ１２を無線電話機２の底面２ａに形設してもよい。
【００６９】
次に、無線電話機の充電用接点の詳細について説明する。図３は無線電話機の充電用接点を示す要部破断拡大斜視図である。図３中、４ａは充電用接点４に延設され無線電話機２の内部に配設されたボス７に外挿されたコイル部、４ｂはコイル部４ａの他端側で基板６に半田付け等により電気的に接続された電気接続部である。
【００７０】
充電用接点４の端部は無線電話機２の内側に折り曲げるようにして無線電話機２の内部で固定した。これにより、無線電話機２の使用時や充電器１０への挿抜時に充電用接点４の端部が引っ掛かって変形したり、破損したりするのを防止している。ボス７は、コイル部４ａ及び基板６の固定を兼用するように形成した。これにより、部品点数を低減できると共に、予め電気接続部４ｂを基板６に電気接続することによって基板６をボス７に固定すると同時に充電用接点４をコイル部４ａで固定でき、生産性、組立て作業性を向上させている。
【００７１】
次に、充電器の充電端子の詳細について説明する。図４（ａ）は無線電話機を充電器に装着した状態を示す要部断面正面図であり、図４（ｂ）は充電用接点と充電端子の接触状態を示す要部拡大摸式斜視図である。
【００７２】
図４中、１５は充電端子１４が配設された基板、１４ａは基板１５に固定された充電端子１４の水平固定部、１４ｂは水平固定部１４ａの端部から略垂直上方に向かって延設された充電端子１４の立上り部、１４ｃは立上り部１４ｂの上端から斜め下方内側に折曲された充電端子１４の折り曲げ部、１４ｄは折り曲げ部１４ｃの下端から斜め上方内側に折曲され端面１４ｅで充電用接点４に接触する充電端子１４の当接部、１４ｆは当接部１４ｄの端部をさらに外側に折り返して形成した充電端子１４の折り返し部である。
【００７３】
充電器１０の充電端子１４の幅は無線電話機２の充電用接点４の幅より広く形成した。これにより、無線電話機２を嵌着凹部１１に装着する際に、無線電話機２が前後に位置ずれしても確実に充電端子４と充電用接点１４を接触させることができ、信頼性に優れる。また、充電用接点４が配設される無線電話機１の下端隅部２ｄには充電用接点４よりも長く、幅広の溝部２ｅを形成し、充電用接点４が無線電話機２の底面２ａ及び側面２ｂよりも突出しないようにした。これにより、充電用接点４を保護すると共に、無線電話機２を正面から見た際に充電用接点４を目立たなくし、美観を向上させている。さらに、充電端子１４の幅は溝部２ｅより狭く形成した。これにより、無線電話機２の挿抜時に、充電端子１４を溝部２ｅの内側に配設された充電用接点４に確実に接触させることができ、信頼性に優れる。
【００７４】
本実施の形態では充電端子１４の立上り部１４ｂは、水平固定部１４ａから略垂直方向に直線的に延設したが、立上り部１４ｂは任意の角度で形成することができる。また、直線的に延設せず、円弧等のように曲線状に延設することもできる。充電用接点４に接触する当接部１４ｄの端部を外側に折り返して折り返し部１４ｆを形成した。これにより、当接部１４ｄの端面１４ｅが略Ｕ字状に形成され、充電用接点４に接触した際に、充電用接点４の表面が削れたり、使用者が手で触れた際に怪我をしたりするのを防止し、信頼性、安全性を向上させている。また、当接部１４ｄの強度が向上し、端面１４ｅが削れることによる錆の発生を防止できると共に、充電用接点４や無線電話機２が端面１４ｅに接触することにより傷つくことや使用者が怪我をすることを防止している。さらに、折り返し部１４ｆを立上り部１４ｂの近傍まで伸ばしたことにより、充電端子１４の折り曲げ部１４ｃが外方に変形した際に折り返し部１４ｆの端部が立上り部１４ｂに当接し、必要以上の変形を防止し、充電端子１４が塑性変形するのを防いでいる。
【００７５】
以上にように形成された無線電話装置の使用方法について説明する。図４において、充電時に無線電話機２を充電器１０の嵌着凹部１１に装着すると、無線電話機２の底面２ａに嵌着凹部１１の凹部底面１１ａが当接し、無線電話機２を支持する。充電用接点４が無線電話機２の下端隅部２ｄに沿って円弧状に配設されているので、無線電話機２を充電器１０の嵌着凹部１１に挿入するだけで、充電端子１４の当接部１４ｄの端面１４ｅが無線電話機２の下端隅部２ｄの外形（円弧）に沿って移動し、確実に充電用接点４と接触すると共に、充電用接点４の表面に付着したゴミや油分などを自動的に取除くことができる。このとき、充電端子１４が左右両側から無線電話機２を案内するように圧接するので、固定位置が定まり、容易かつ確実に無線電話機２を充電器１０に装着することができる。また、嵌着凹部１１の凹部底面１１ａに突設された位置決めリブ１２が無線電話機２の底面２ａに形成された位置決め凹部５に挿通され、補助的に無線電話機２の位置ずれを防止して嵌着凹部１１に保持する。
【００７６】
以上のように本発明の実施の形態１における無線電話装置は構成されているので、以下のような作用を有する。
【００７７】
（１）無線電話機２の両側の下端隅部２ｄにそれぞれ充電用接点４が配設され、無線電話機２が装着される充電器１０の嵌着凹部１１の内部両側にそれぞれ無線電話機２の充電用接点４に斜め下方から当接する充電端子１４が配設されているので、両側から無線電話機２を支持することができ、確実に充電用接点４と充電端子１４を接触させることができる。
【００７８】
（２）充電器１０の充電端子１４が、左右両側から無線電話機２の充電用接点４に圧接するように配設されていることにより、無線電話機２の固定位置が自動的に定まり、荷重バランスが取れるので、無線電話機２を嵌着凹部１１の内部で確実に保持することができる。
【００７９】
（３）充電器１０の充電端子１４の幅を無線電話機２の充電用接点４の幅より広く形成することにより、無線電話機２を嵌着凹部１１に装着する際に、無線電話機２が前後に位置ずれしても確実に充電端子１４と充電用接点４を接触させることができ、信頼性に優れる。
【００８０】
（４）充電用接点４が配設される無線電話機２の下端隅部２ｄに充電用接点４よりも長く、幅広の溝部２ｅを形成し、充電用接点４が無線電話機２の底面２ａ及び側面２ｂよりも突出しないようにすることにより、充電用接点４を保護できると共に、無線電話機２を正面から見た際に、充電用接点４が目立たず美観に優れる。
【００８１】
（５）充電端子１４の幅を充電用接点４が配設された溝部２ｅの幅より狭く形成することにより、無線電話機２の挿抜時に充電端子１４を溝部２ｅの内側に配設された充電用接点４に確実に接触させることができ、充電端子１４を充電用接点４に沿ってスムーズに案内することができる。
【００８２】
（６）充電端子１４を板ばねで形成したことにより、充電用接点４に斜め下方から当接させることで、接点荷重の水平方向成分で無線電話機２を保持すると共に、垂直方向成分が無線電話機２を持ち上げる方向に作用するので、無線電話機２を充電器１０から容易に引抜くことができる。
【００８３】
（７）板ばねで形成された充電端子１４が、立上り部１４ｂの上端から斜め下方内側に折曲された折り曲げ部１４ｃを有することにより、左右方向に変形できると共に、折り曲げ部１４ｃの下端から斜め上方内側に折曲された当接部１４ｄを有することにより、上下方向にも変形できるので、無線電話機２の挿抜時に充電端子１４が引っ掛かることがなく、無線電話機２を容易に挿抜でき、充電用接点４や充電端子１４の破損の発生を低減することができる。
【００８４】
（８）充電端子１４である板ばねの力のみで無線電話機２を保持するので、無線電話機２の重量によらず確実かつ容易に保持及び挿抜を行うことができる。
【００８５】
（９）充電端子１４の当接部１４ｄの端部をさらに折り返し、略Ｕ字状の端面１４ｅを形成したことにより、充電用接点４と接触させ易く、当接部１４ｄの強度を向上でき、端面１４ｅが削れることによる錆の発生を防止できると共に、充電用接点４や無線電話機２が端面１４ｅに接触することにより傷つくことや使用者が怪我をすることを防止できる。
【００８６】
（１０）充電端子１４の当接部１４ｄの端部を折り返して形成した折り返し部１４ｆを立上り部１４ｂの近傍まで伸ばしたことにより、充電端子１４の折り曲げ部１４ｃが外方に変形した際に折り返し部１４ｆの端部が立上り部１４ｂに当接し、必要以上の変形を防止できるので、充電端子１４の塑性変形が発生せず、信頼性に優れる。
【００８７】
（１１）無線電話機２が装着される充電器１０の嵌着凹部１１の少なくとも充電用接点４の下部位置に充電用接点４との接触を避ける凹状の段差部１１ｂを有するので、充電器１０の嵌着凹部１１に溜まったゴミや水等が無線電話機２の充電用接点４に接触し難く、充電用接点４の汚れ、ショートの発生を低減することができる。
【００８８】
（１２）段差部１１ｂを嵌着凹部１１の内周に沿うように一続きの略楕円形状に形成したことにより、段差部１１ｂの容積を増やすことができ、より多くのゴミや水等を溜めることができると共に、溜まったゴミや水等を一箇所に集めることができ、容易に排出することができる。
【００８９】
（１３）充電器１０の段差部１１ｂの最深部に水抜き孔１３を有することにより、充電器１０の嵌着凹部１１に溜まった水等を外部に排出することができ、より確実にショートの発生を防ぐことができる。
【００９０】
（１４）段差部１１ｂの底部を水抜き孔１３の位置が最も低くなるように傾斜したテーパ状に形成することにより、確実に嵌着凹部１１に溜まった水等を外部に排出することができる。
【００９１】
（１５）充電器１０の嵌着凹部１１に突設された位置決めリブ１２と、無線電話機２の底面２ａに形成され位置決めリブ１２が挿通される位置決め凹部５を有するので、補助的に無線電話機２を嵌着凹部１１に案内することができる。
【００９２】
（１６）位置決め凹部５の開口面積及び深さをそれぞれ位置決めリブ１２の水平断面積及び高さよりも大き目に形成したことにより、位置決め凹部５と位置決めリブ１２との寸法誤差や無線電話機２を充電器１０の嵌着凹部１１に装着する際の前後及び／又は左右の位置ずれを吸収することができる。
【００９３】
（１７）線材の一端側を無線電話機２の下端隅部２ｄに沿って円弧状に配設することにより充電用接点４が形成されているので、無線電話機２を充電器１０の嵌着凹部１１に挿入するだけで、充電端子１４の当接部１４ｄが無線電話機２の下端隅部２ｄの外形（円弧）に沿って移動し、確実に充電用接点４と接触すると共に、充電用接点４の表面に付着したゴミや油分などを自動的に取除くことができる。
【００９４】
（１８）充電用接点４の端部を無線電話機２の内側に折り曲げるようにして無線電話機２の内部で固定することにより、無線電話機２の使用時や充電器１０への挿抜時に充電用接点４の端部が引っ掛かって変形したり、破損したりするのを防止でき、信頼性、安全性を向上させることができる。
【００９５】
（１９）充電用接点４の一端部に延設されたコイル部４ａが無線電話機２内部のボス７に外挿され、コイル部４ａの他端側に基板ｂに電気的に接続された電気接続部４ｂを有するので、充電用接点４を無線電話機２内部のボス７により容易に位置決めすることができると共に、充電用接点４と充電端子１４との接触時や無線電話機の２挿抜時に電気接続部４ｂに負荷がかからず、破損の発生を防止することができる。
【００９６】
（２０）コイル部４ａを無線電話機２内部で固定するボス７が基板６の固定を兼用することにより、部品点数を低減できると共に、予め電気接続部４ｂを基板６に電気接続することによって基板６をボス７に固定すると同時に充電用接点４をコイル部４ａで固定でき、生産性、組立て作業性を向上させることができる。
【産業上の利用可能性】
【００９７】
本発明は、電話機の子機や携帯電話等の無線電話機の充電を行う充電器とを備えた無線電話装置に関し、簡単な構成で確実に無線電話機を保持することができ生産性に優れ、無線電話機の充電用接点と充電器の充電接点との接触不良を防止でき信頼性、充電の効率性に優れると共に、充電用接点でのショートが発生し難く、挿抜が容易で充電用接点の汚損を防止でき操作性、メンテナンス性に優れた無線電話装置として好適に使用することができる。
【図面の簡単な説明】
【００９８】
【図１】本発明の実施の形態１における無線電話装置を示す全体斜視図
【図２】無線電話機の充電用接点を示す要部拡大斜視図
【図３】無線電話機の充電用接点を示す要部破断拡大斜視図
【図４】（ａ）無線電話機を充電器に装着した状態を示す要部断面正面図、（ｂ）充電用接点と充電端子の接触状態を示す要部拡大摸式斜視図
【符号の説明】
【００９９】
１    無線電話装置
２    無線電話機
２ａ    底面
２ｂ    側面
２ｃ    背面
２ｄ    下端隅部
２ｅ    溝部
３    二次電池
４    充電用接点
４ａ    コイル部
４ｂ    電気接続部
５    位置決め凹部
６    基板
１０    充電器
１１    嵌着凹部
１１ａ    凹部底面
１１ｂ    段差部
１２    位置決めリブ
１３    水抜き孔
１４    充電端子
１４ａ    水平固定部
１４ｂ    立上り部
１４ｃ    折り曲げ部
１４ｄ    当接部
１４ｅ    端面
１４ｆ    折り返し部
１５    基板
【図１】
2006050733.tif 000003
【図２】
2006050733.tif 000004
【図３】
2006050733.tif 000005
【図４】
2006050733.tif 000006